(57)【要約】【課題】映像や音声やデータなどの処理を変化させたり外部に接続された機器を操作する際にユーザにとって操作性の向上が実現できるテレビジョン受信機を提供する。【解決手段】非接触型情報記録媒体に対して情報の読み出し書き込みを行なう情報送受信部と読み出した情報に基づいて様々な制御データの生成やユーザへの状態の通知やユーザ操作のコントロールなどを行なう情報処理部と外部接続機器と情報をやり取りする接続処理部とを付加し非接触型情報記録媒体に記録された情報を読み込みこの情報に基づいて映像や音声やデータなどの処理方法を変化させたり外部に接続された機器を制御したりあるいは逆に外部に接続された機器の制御データなどの各種情報や処理や制御の状態を非接触型情報記録媒体に記録することによりユーザにとって外部接続機器を含めた操作性の向上が実現できる。【選択図】図３
2007110305.tif 000002
【特許請求の範囲】
【請求項１】
ＴＶ信号の映像や音声や電子番組表などのデータを処理するＴＶ信号処理部と、
非接触型情報記録媒体に対して無線により情報の読み出しと書き込みを行なう情報送受信部と、前記非接触型情報記録媒体に書きこむ前記情報を生成して前記情報送受信部に送信するとともに前記情報送受信部から出力された前記情報に基づいて前記ＴＶ信号処理を制御する情報処理部と、前記ＴＶ信号処理部や前記情報処理部と接続され前記情報に応じて映像信号や音声信号を選択して出力する出力処理部と、前記出力処理部から出力された前記映像信号を表示するディスプレイと、前記音声信号を出力するスピーカとを備え、非接触型情報記録媒体に記録された情報を読み込みこの情報に基づいて映像や音声やデータなどの処理方法を変化させたりあるいは逆に処理や制御の状態を非接触型情報記録媒体に記録するテレビジョン受信機。
【請求項２】
請求項１に記載のテレビジョン受信機において、前記情報送受信部が前記非接触型情報記録媒体に対して無線により情報の読み出し書き込みを行う外付け情報送受信装置であって、前記情報のやり取りを行なうインターフェース部を備え、種々の非接触型情報記録媒体に記録された前記情報に基づいて映像や音声やデータの処理方法を制御する請求項１に記載のテレビジョン受信機。
【請求項３】
放送信号を受信してチャンネル信号を出力するチューナと、外部接続機器との間で映像や音声やデータや制御データなどの情報のやり取りなどを行なう接続処理部と、前記チューナと前記接続処理部からの信号を選択するセレクタと、前記セレクタにより選択されるＴＶ信号の映像信号や音声信号や電子番組表などのデータ信号を処理するＴＶ信号処理部と、
非接触型情報記録媒体に対して無線により前記情報の読み出し書き込みを行なう情報送受信部と、前記非接触型情報記録媒体に書き込むための前記情報を生成するとともに前記情報に基づいて前記接続処理部を介して前記外部接続機器を制御する情報処理部と、前記ＴＶ信号処理部や前記情報処理部と接続され前記情報に応じて映像信号や音声信号を選択して出力する出力処理部と、前記出力処理部から出力された前記映像信号を表示するディスプレイと、前記音声信号を出力するスピーカとを備え、非接触型情報記録媒体に記録された情報を読み込みこの情報に基づいて映像や音声やデータなどの処理方法を変化させたり外部に接続された機器を制御したりあるいは逆に外部に接続された機器の制御データなどの各種情報や処理や制御の状態を非接触型情報記録媒体に記録するテレビジョン受信機。
【請求項４】
請求項３に記載のテレビジョン受信機において、前記情報送受信部が前記非接触型情報記録媒体に対して無線により情報の読み出し書き込みを行なう外付け情報送受信装置であって、前記情報のやり取りを行うインターフェース部を備え、種々の非接触型情報記録媒体に記録された前記情報に基づいて映像や音声やデータの処理方法を制御する請求項３に記載のテレビジョン受信機。
【発明の詳細な説明】
【技術分野】
【０００１】
本発明は、非接触型情報記録媒体に制御可能な外部接続機器を含めた制御情報などの様々な情報を記録しまたこれを読み込んでその情報に基づいて映像や音声やデータなどの処理方法を変化させたり外部に接続された機器を制御したりすることによりユーザにとって外部接続機器を含めた操作性の向上が実現できるテレビジョン受信機に関する。
【背景技術】
【０００２】
近年、ＤＶＤやＢｌｕ−ｒａｙディスクあるいはＡＯＤ（Ａｄｖａｎｃｅｄ  Ｏｐｔｉｃａｌ  Ｄｉｓｋ）といった光ディスクやハードディスク、半導体メモリなど小型で大容量のデジタル情報記録媒体が多数登場しこれらは映像や音声といった情報量の多いソースに対して非常に有効な媒体であり、例えばＤＶＤレコーダやハードディスクレコーダなどのデジタルディスクレコーダという形で録画機市場に投入され従来のＶＣＲ（Ｖｉｄｅｏ  Ｃａｓｓｅｔｔｅ  Ｒｅｃｏｒｄｅｒ）にとって代わるものとして急速に市場が拡大している。同時に大容量化も進み１つの媒体で記録できる情報量も飛躍的に増大している。しかしながら記録媒体の大容量化が進展するとユーザにとってはその媒体の中にどのような情報が記録されているのか把握することが困難になってくる。デジタルディスクレコーダの場合例えばあるテレビ番組を録画するとそれに付随して番組タイトル等の情報が記録されることが多いためユーザはこれを参照して番組を検索し再生することができるが記録される番組数が多くなると膨大な番組タイトルの中から検索する必要が生じるなど非常に手間がかかる。またＤＶＤへの録画などでディスクが複数枚ある場合にはさらに検索が困難になる。これに対し例えばディスクに識別子を付与しこれを読み取り装置で読み取りこの結果から予め記録装置に記録された個々のディスク識別子に対するディスクの記録内容に関する情報を表示させる手段がある（特許文献１）。しかしこの場合ディスクの記録内容を記憶させる装置が別途必要でありまたディスク容量が大きい場合には前記の検索の煩わしさは解消されない。さらにデジタルディスクレコーダの多くは録画されたある番組を再生中に再生を止めて他の番組を再生した後に中断したポイントからもう一度再生するといった場合ユーザ自らそのポイントを特定する必要がある。これに対して例えばディスクの識別情報と再生中断ポイントとをワークメモリに記憶しこれを用いて中断ポイントから再生を再開する手段がある（特許文献２）。この事例の場合、個々の機器に対してユーザが操作をすることになり例えばハードディスクレコーダが複数台存在する場合などではユーザがどの機器を使用していたのかをユーザ自身が特定する必要が生じる。一方でバーコードや磁気カードといった比較的情報記録容量の少ない媒体も様々な分野で用いられている。例えばバーコードは色々なものに簡単に印刷して使用できるため物流システムやＰＯＳシステムで多用されており近年では二次元バーコードの登場により記録できる情報量が増加した。また磁気カードはクレジットカードやキャッシュカード、切符や定期券などに古くから身近に使用されている記録媒体である。また近年、この磁気カードに代わってＩＣチップを用いたＩＣカードが用いられることが多くなった。これはＩＣチップに様々な情報を記録しこれを無線を用いて非接触で読み出すことが可能な情報記録媒体である。さらにミューチップや無線タグといったＩＣチップをさらに小型化した非接触型の情報記録媒体も登場しこれらは例えば物流システムにおいて徐々に利用されつつある。これら非接触の情報記録媒体の登場により従来にない高付加価値のサービスが個々のユーザのニーズに合わせて安価���提供することが可能となるが民生用の機器での使用例はまだまだ少ない。
【特許文献１】特開２００２−１０１８３号公報
【特許文献２】特開２００４−１７８６５４号公報
【発明の開示】
【発明が解決しようとする課題】
【０００３】
非接触型情報記録媒体に制御可能な外部接続機器を含めた制御情報などの様々な情報を記録しまたこれを読み込んでその情報に基づいて映像や音声やデータなどの処理方法を変化させたり外部に接続された機器を制御したりすることによりユーザにとって外部接続機器を含めた操作性の向上が実現できるテレビジョン受信機を提供する。
【課題を解決するための手段】
【０００４】
ＴＶ信号の映像信号や音声信号や電子番組表などのデータ信号を処理するＴＶ信号処理部と非接触型情報記録媒体に対して無線により情報の読み出し書き込みを行なう情報送受信部と前記情報送受信部を介して読み出される前記非接触型情報記録媒体に記録された情報を処理しこの情報に基づいて前記ＴＶ信号処理部における所望の処理を制御したりあるいは前記ＴＶ信号処理部における処理の状態や制御データなどの情報を前記非接触型情報記録媒体に書き込むための情報を生成したりあるいは前記非接触型情報記録媒体から読み込んだ情報や現在の処理や制御の状態をユーザに認識させたり操作を誘導する各種情報を映像信号や音声信号として出力する情報処理部と前記ＴＶ信号処理部や前記情報処理部と接続されユーザの操作や前記非接触型情報記録媒体に対する情報の読み出し書き込み動作や制御状態などに応じてＴＶ信号や前記情報処理部から出力される情報など所望の映像信号や音声信号を選択して出力する出力処理部と前記出力処理部に接続された実際に画面を表示するディスプレイと実際に音声を出力するスピーカとを備えることで非接触型情報記録媒体に記録された情報を読み込みこの情報に基づいて映像や音声やデータなどの処理方法を変化させたりあるいは逆に処理や制御の状態を非接触型情報記録媒体に記録することを可能にする。
【０００５】
また前記情報送受信部の代わりに前記非接触型情報記録媒体に対して無線により所望の情報の読み出し書き込みを行なう外付け情報送受信装置を使用し前記外付け情報送受信装置と前記情報処理部とをインターフェース部を介して接続して情報のやり取りを行なうことにより種々の非接触型情報記録媒体に記録された情報をそれに対応した外付け情報送受信装置により読み込みこの情報に基づいて映像や音声やデータなどの処理方法を変化させたりあるいは逆に処理や制御の状態を前記外付け情報送受信装置により非接触型情報記録媒体に記録することを可能にする。
【０００６】
また放送信号を受信して所望のチャンネル信号を出力するチューナと外部に接続される機器との間で映像や音声やデータといった各種信号や制御データなど所望の情報のやり取りなどを行なう接続処理部と前記チューナと前記接続処理部からの信号を選択するセレクタと前記セレクタにより選択されるＴＶ信号の映像信号や音声信号や電子番組表などのデータ信号を処理するＴＶ信号処理部と非接触型情報記録媒体に対して無線により情報の読み出し書き込みを行なう情報送受信部と前記情報送受信部を介して読み出される前記非接触型情報記録媒体に記録された情報を処理しこの情報に基づいて前記接続処理部を介して外部に接続される機器を制御したり前記ＴＶ信号処理部における所望の処理を制御したりあるいは逆に前記接続処理部を介して取り込まれる外部に接続された機器の制御データなどの情報や前記ＴＶ信号処理部における処理の状態や制御データなどの情報を前記非接触型情報記録媒体に書き込むための情報を生成したりあるいは前記非接触型情報記録媒体から読み込んだ情報や現在の処理や制御の状態をユーザに認識させたり操作を誘導する各種情報を映像信号や音声信号として出力する情報処理部と前記ＴＶ信号処理部や前記情報処理部と接続されユーザの操作や前記非接触型情報記録媒体に対する情報の読み出し書き込み動作や制御状態などに応じてＴＶ信号や前記情報処理部から出力される情報など所望の映像信号や音声信号を選択して出力する出力処理部と前記出力処理部に接続された実際に画面を表示するディスプレイと実際に音声を出力するスピーカとを備えることで非接触型情報記録媒体に記録された情報を読み込みこの情報に基づいて映像や音声やデータなどの処理方法を変化させたり外部に接続された機器を制御したりあるいは逆に外部に接続された機器の制御データなどの各種情報や処理や制御の状態を非接触型情報記録媒体に記録することを可能にする。
【０００７】
また前記情報送受信部の代わりに前記非接触型情報記録媒体に対して無線により所望の情報の読み出し書き込みを行なう外付け情報送受信装置を使用し前記外付け情報送受信装置と前記情報処理部とをインターフェース部を介して接続して情報のやり取りを行なうことにより種々の非接触型情報記録媒体に記録された情報をそれに対応した外付け情報送受信装置により読み込みこの情報に基づいて映像や音声やデータなどの処理方法を変化させたり外部に接続された機器を制御したりあるいは逆に外部に接続された機器の制御データなどの各種情報や処理や制御の状態を前記外付け情報送受信装置により非接触型情報記録媒体に記録することを可能にする。
【発明の効果】
【０００８】
以上のように本発明では、非接触型情報記録媒体に記録された情報を読み出したり逆に情報を書き込んだりする情報送受信部と読み出した情報に基づいて制御可能な外部に接続された機器を含めた様々な制御データの生成やユーザへの状態の通知やユーザ操作のコントロールなどを行なう情報処理部と外部接続機器と情報をやり取りする接続処理部とを付加し非接触型情報記録媒体に記録された情報を読み込みこの情報に基づいて映像や音声やデータなどの処理方法を変化させたり外部に接続された機器を制御したりあるいは逆に外部に接続された機器の制御データなどの各種情報や処理や制御の状態を非接触型情報記録媒体に記録することができるテレビジョン受信機を提供することによりユーザにとって外部接続機器を含めた操作性の向上が実現できる。
【発明を実施するための最良の形態】
【０００９】
以下、本発明の実施の形態について、図面を参照しながら説明する。
【００１０】
（実施の形態１）
まず、請求項１に記載の発明について、その詳細を説明する。
【００１１】
図１に本発明の構成図を示す。
【００１２】
図中１０１は映像信号や音声信号や電子番組表などのデータ信号といったＴＶ信号であり、図中１０２は前記ＴＶ信号１０１を処理するＴＶ信号処理部であり、図中１０３はＩＣチップや無線タグなどに代表される非接触型情報記録媒体であり、図中１０４は前記非接触型情報記録媒体１０３に対して無線により情報の読み出し書き込みを行なう情報送受信部であり、図中１０５は前記情報送受信部１０４を介して読み出される前記非接触型情報記録媒体１０３に記録された情報を処理しこの情報に基づいて前記ＴＶ信号処理部１０２における所望の処理を制御したりあるいは前記ＴＶ信号処理部１０２における処理の状態や制御データなどの情報を前記非接触型情報記録媒体１０３に書き込むための情報を生成したりあるいは前記非接触型情報記録媒体１０３から読み込んだ情報や現在の処理や制御の状態をユーザに認識させたり操作を誘導する各種情報を映像信号や音声信号として出力する情報処理部であり、図中１０６は前記ＴＶ信号処理部１０２や前記情報処理部１０５と接続されユーザの操作や前記非接触型情報記録媒体１０３に対する情報の読み出し書き込み動作や制御状態などに応じて前記ＴＶ信号１０１や前記情報処理部１０５から出力される情報など所望の映像信号や音声信号を選択して出力する出力処理部であり、図中１０７は前記出力処理部１０６に接続された実際に画面を表示するディスプレイであり、図中１０８は実際に音声を出力するスピーカである。
【００１３】
以下具体例を挙げてその動作を説明する。
【００１４】
ＴＶ信号処理部１０２では通常のテレビジョン受信機と同様に入力される映像信号や音声信号や電子番組表などのデータ信号といったＴＶ信号１０１に対して同期処理や画質音質処理など所望の処理を行ない映像信号や音声信号を出力する。またデータ信号受信時にはユーザの操作に応じてデータ信号や電子番組表の処理を行ない所望の映像信号や音声信号を出力する。一方情報送受信部１０４では非接触型情報記録媒体１０３に記録された情報を無線により読み出し情報処理部１０５に出力する。例えば非接触型情報記録媒体１０３としてＩＣタグを考えこれに映像信号や音声信号の処理の方法を示すデータが記録されておりこの情報に基づいてＴＶ信号処理部１０２を制御する場合を考える。ユーザがこの非接触型ＩＣタグ１０３を情報送受信部１０４に近づけると情報送受信部１０４はこれを感知して組み込まれた電磁誘導コイルにより情報読み出しのための電波を発信する。ユーザが持つ非接触型ＩＣタグ１０３ではこの電波をキャッチして内蔵された記録セルに記録された映像や音声の処理方法に関する情報を読み出しこれを情報送受信部１０４に対して電波により送信する。このとき情報を送受信するタイミングはユーザがＩＣタグを近づけるのを感知して自動的に送受信を開始したりあるいはユーザが所望の操作を行なうことで開始されるなど種々の方法が考えられる。こうして読み出された情報は情報処理部１０５に出力される。ここでは情報送受信部１０４により読み出された情報を処理してＴＶ信号処理部１０２における映像信号や音声信号の処理を制御する制御データを生成しこれによりＴＶ信号処理部１０２を制御することで所望の映像信号や音声信号の処理が実現できる。例えば前記非接触型ＩＣタグ１０３に映像の色合いや明るさ、音声の高域あるいは低域強調の情報が記録されているとする。前述の方法で非接触型ＩＣタグ１０３から情報送受信部１０４を介して読み出されたこれらの情報は情報処理部１０５に送られる。情報処理部１０５ではこれらの情報を用いて例えば色合いや明るさ調整を行なう場合にはカラーマトリックスの係数やガンマ補正の補正カーブを生成しこれをＴＶ信号処理部１０２に送信しＴＶ信号処理部１０２ではこのデータを用いて映像信号の処理を行なう。また音声信号に対しても情報処理部１０５において非接触型ＩＣタグ１０３から読み出された音域強調の情報により例えばイコライザなどの調整値を生成しＴＶ信号処理部１０２にて音声信号に対して音域強調の処理を行なう。このとき非接触型ＩＣタグ１０３にはＴＶ信号処理部１０２の制御データそのものが記録されていてもあるいは情報処理部１０５で制御データを生成する基となる情報が記録されていてもよい。こうして非接触型ＩＣタグ１０３に記録された情報に基づいてＴＶ信号処理部１０２で所望の処理が行なわれた映像信号や音声信号は出力処理部１０６に送られディスプレイ１０７やスピーカ１０８から出力される。このとき出力処理部１０６ではＴＶ信号処理部１０２からの信号のみならず情報処理部１０５から出力されるユーザの操作や非接触型情報記録媒体１０３に対する情報の読み出し書き込み動作やＴＶ信号処理部１０２などに対する制御状態などに応じてこれらをユーザに認識させるための映像信号や音声信号をディスプレイ１０７やスピーカ１０８に出力することも可能である。例えばＴＶ信号処理部１０２の信号を出力している状態でユーザが非接触型ＩＣタグ１０３を近づけると情報処理部１０５より情報読み取り動作に入ったことを知らせる映像信号や音声信号を出力し出力処理部１０６では前記ＴＶ信号処理部１０２からの信号をこの情報処理部１０５からの信号に切り替えるあるいは混合してディスプレイ１０７やスピーカ１０８に出力する。そして情報送受信部１０４により非接触型ＩＣタグ１０３に記録された情報の読み出しが完了すると情報処理部１０５での制御データの生成が行なわれるがこの状態をユーザが認識するための信号が情報処理部１０５から出力処理部１０６に出力される。そして制御データの生成が完了するとこのデータを用いてＴＶ信号処理部１０２を制御するかどうかユーザに確認するための信号が出力され、そしてユーザの選択に応じた状態変化の有無を認識させるための映像信号や音声信号が情報処理部１０５から出力処理部１０６を介してディスプレイ１０７やスピーカ１０８から出力されることでユーザは一連の動作や状態を認識することができる。また逆に前記非接触型情報記録媒体１０３に情報を書き込む場合例えばユーザが情報送受信部１０４に非接触型情報記録媒体１０３を近づけると情報送受信部１０４はこれを感知するとともに情報処理部１０５よりＴＶ信号処理部１０２における制御データなど所望の情報を情報送受信部１０４に出力する。情報送受信部１０４ではこの情報を電磁誘導コイルにより発信される電波にのせて非接触型情報記録媒体１０３に送信する。非接触型情報記録媒体１０３ではこの電波をキャッチして内蔵された記録セルにこの情報を書き込んで記録する。このときも情報を送受信するタイミングはユーザがＩＣタグを近づけるのを感知して自動的に送受信を開始したりあるいはユーザが所望の操作を行なうことで開始されるなど種々の方法が考えられる。またユーザの操作状態や情報送受信部１０４と非接触型情報記録媒体１０３との情報の送受信の状況などをディスプレイ１０７やスピーカ１０８よりユーザに知らせることが可能である。これにより例えばユーザが設定した映像信号や音声信号の処理を行なう制御データを非接触型情報記録媒体１０３により記録し同様の構成をもつ別のテレビジョン受信機にこれを簡単に適用することが可能になる。このような構成により非接触型情報記録媒体１０３に記録された情報に基づいてＴＶ信号の処理を任意に簡単に変えることが可能となる。また非接触型情報記録媒体１０３の容量が大きければ複数の制御データを格納することが可能となり例えば時間経過とともに処理方法を変えていくといったことも可能になる。これは例えばシーンごとの色合いや明るさといった映像処理データや臨場感を出すための音域強調処理などの音声処理データを時間情報とともに記録した非接触型情報記録媒体１０３をＤＶＤなどの映画ソフトに同梱して提供することで製作者の意図により近い形の映像表現、音響表現を簡単に得ることが可能になる。
【００１５】
（実施の形態２）
次に請求項２に記載の発明について、その詳細を説明する。
【００１６】
本発明は請求項１に記載のテレビジョン受信機において前記情報送受信部の代わりに前記非接触型情報記録媒体に対して無線により所望の情報の読み出し書き込みを行なう外付け情報送受信装置を使用し前記外付け情報送受信装置と前記情報処理部とをインターフェース部を介して接続して情報のやり取りを行なうことにより種々の非接触型情報記録媒体に記録された情報をそれに対応した外付け情報送受信装置により読み込みこの情報に基づいて映像や音声やデータなどの処理方法を変化させたりあるいは逆に処理や制御の状態を前記外付け情報送受信装置により非接触型情報記録媒体に記録することを可能にするものである。
【００１７】
図２にその構成図を示す。
【００１８】
図中２０１は映像信号や音声信号や電子番組表などのデータ信号といったＴＶ信号であり、図中２０２は前記ＴＶ信号２０１を処理するＴＶ信号処理部であり、図中２０３はＩＣチップや無線タグなどに代表される非接触型情報記録媒体であり、図中２０４は前記非接触型情報記録媒体２０３に対して無線により所望の情報の読み出し書き込みを行なう外付け情報送受信装置であり、図中２０５は前記外付け情報送受信装置２０４と有線あるいは無線により接続し情報のやり取りを行なうためのインターフェース部であり、図中２０６は前記インターフェース部２０５を介して得られる前記外付け情報送受信装置２０４により読み出される前記非接触型情報記録媒体２０３に記録された情報を処理してこの情報に基づいて前記ＴＶ信号処理部２０２における所望の処理を制御したりあるいは前記ＴＶ信号処理部２０２における処理の状態や制御データなどの情報を前記外付け情報送受信装置２０４により前記非接触型情報記録媒体２０３に書き込むための情報を生成したりあるいは前記非接触型情報記録媒体２０３から読み込んだ情報や現在の処理や制御の状態をユーザに認識させたり操作を誘導する各種情報を映像信号や音声信号として出力する情報処理部であり、図中２０７は前記ＴＶ信号処理部２０２や前記情報処理部２０６と接続されユーザの操作や前記非接触型情報記録媒体２０３に対する情報の読み出し書き込み動作や制御状態などに応じて前記ＴＶ信号２０１や前記情報処理部２０６から出力される情報など所望の映像信号や音声信号を選択して出力する出力処理部であり、図中２０８は前記出力処理部２０７に接続された実際に画面を表示するディスプレイであり、図中２０９は実際に音声を出力するスピーカである。
【００１９】
以下具体例を挙げてその動作を説明する。
【００２０】
ＴＶ信号２０１およびＴＶ信号処理部２０２は（実施の形態１）のＴＶ信号１０１およびＴＶ信号処理部１０２と同様の動作を行なう。また出力処理部２０７、ディスプレイ２０８、スピーカ２０９は（実施の形態１）における出力処理部１０６、ディスプレイ１０７、スピーカ１０８とほぼ同等の動作を行なう。本発明では（実施の形態１）と異なり非接触型情報記録媒体２０３に対して外付けの情報送受信装置２０４により情報の読み出しや書き込みを行なう。例えばユーザが非接触型情報記録媒体２０３を外付け情報送受信装置２０４に近づけると外付け情報送受信装置２０４はこれを感知して電磁誘導コイルにより情報をやり取りするための電波を発信する。非接触型情報記録媒体２０３ではこの電波をキャッチして内蔵されたＩＣチップなどの情報記録部分に記録された映像や音声の処理方法に関する情報を読み出しこれを外付け情報送受信装置２０４に対して電波により送信する。このとき情報を送受信するタイミングはユーザがＩＣタグを近づけるのを感知して自動的に送受信を開始したりあるいはユーザが所望の操作を行なうことで開始されるなど種々の方法が考えられる。外付け情報送受信装置２０４では非接触型情報記録媒体２０３からの情報をインターフェース部２０５を介して情報処理部２０６に転送する。このとき外付け情報送受信装置２０４とインターフェース部２０５との接続は有線であっても無線であってもよい。また外付け情報送受信装置２０４で読み出した非接触型情報記録媒体２０３の情報を情報処理部２０６に送信するタイミングは非接触型情報記録媒体２０３から情報を読み出している間にリアルタイムで行なうあるいは外付け情報送受信装置に一時的に情報を記録するメモリを搭載して読み出した情報を記録しておき所望の情報を非接触型情報記録媒体２０３から一通り読み出してからこれらをまとめて送信することも可能である。情報処理部２０６では（実施の形態１）で説明したような方法により外付け情報送受信部２０４により読み出された情報に基づいてＴＶ信号処理部２０２における所望の処理を制御したりあるいはＴＶ信号処理部２０２における処理の状態や制御データなどの情報を非接触型情報記録媒体２０３にインターフェース部２０５を介して有線あるいは無線により外付け情報送受信装置２０４から書き込むための情報を生成したりあるいは非接触型情報記録媒体２０３から読み込んだ情報や現在の処理や制御の状態をユーザに認識させたり操作を誘導する各種情報を映像信号や音声信号として出力処理部２０７に出力する。このように外付け情報送受信装置２０４を用いて非接触型情報記録媒体２０３に対してＴＶ信号処理部２０２における映像や音声信号の処理に関する情報の読み出し書き込み処理を行なうことにより種々の非接触型情報記録媒体に対応した複数の情報送受信装置を使用することが可能となりまたこの外付け情報送受信装置の設置場所を任意に変えられることによりユーザの操作性の向上が可能となる。またこの外付け情報送受信装置２０４はテレビジョン受信機のリモコンに内蔵することも考えられる。
【００２１】
（実施の形態３）
次に請求項３に記載の発明について、その詳細を説明する。
【００２２】
図３にその構成図を示す。
【００２３】
図中３０１は放送信号であり、図中３０２は前記放送信号３０１を受信して所望のチャンネル信号を出力するチューナであり、図中３０３は外部に接続される第１の接続機器であり、図中３０４は外部に接続される第２の接続機器であり、図中３０５は外部に接続される前記第１の接続機器３０３および前記第２の接続機器３０４との間で映像や音声やデータといった各種信号や制御データなど所望の情報のやり取りなどを行なう接続処理部であり、図中３０６は前記チューナ３０２と前記接続処理部３０５からの信号を選択するセレクタであり、図中３０７は前記セレクタ３０６により選択されるＴＶ信号であり、図中３０８は前記ＴＶ信号３０７の映像信号や音声信号や電子番組表などのデータ信号を処理するＴＶ信号処理部であり、図中３０９は非接触型情報記録媒体であり、図中３１０は前記非接触型情報記録媒体３０９に対して無線により情報の読み出し書き込みを行なう情報送受信部であり、図中３１１は前記情報送受信部３１０を介して読み出される前記非接触型情報記録媒体３０９に記録された情報を処理しこの情報に基づいて前記接続処理部３０５を介して外部に接続された第１の接続機器３０３および第２の接続機器３０４を制御したり前記ＴＶ信号処理部３０８における所望の処理を制御したりあるいは逆に前記接続処理部３０５を介して取り込まれる外部に接続された第１の接続機器３０３および第２の接続機器３０４の制御データなどの情報や前記ＴＶ信号処理部３０８における処理の状態や制御データなどの情報を前記非接触型情報記録媒体３０９に書き込むための情報を生成したりあるいは前記非接触型情報記録媒体３０９から読み込んだ情報や現在の処理や制御の状態をユーザに認識させたり操作を誘導する各種情報を映像信号や音声信号として出力する情報処理部であり、図中３１２は前記ＴＶ信号処理部３０８や前記情報処理部３１１と接続されユーザの操作や前記非接触型情報記録媒体３０９に対する情報の読み出し書き込み動作や制御状態などに応じて前記ＴＶ信号処理部３０８からの出力信号や前記情報処理部３１１から出力される情報など所望の映像信号や音声信号を選択して出力する出力処理部であり、図中３１３は前記出力処理部３１２に接続された実際に画面を表示するディスプレイであり、図中３１４は実際に音声を出力するスピーカである。
【００２４】
以下具体例を挙げてその動作を説明する。
【００２５】
チューナ３０２は入力される放送信号３０１を受信して所望のチャンネルの信号を出力する。また接続処理部３０５は外部に接続された第１の接続機器３０３と第２の接続機器３０４との間で映像や音声やデータといった各種信号や制御データなど所望の情報のやり取りなどを行なう。このとき例えばＩＥＥＥ１３９４での接続を考えると第１の接続機器３０３と第２の接続機器３０４との接続は図３のように接続処理部３０５にそれぞれ接続するような構成にすることもできるし、あるいは接続処理部３０５と第１の接続機器３０３を接続し第２の接続機器３０４は第１の接続機器３０３と接続するような構成にすることもできるなど種種の接続の形態が考えられる。さらにユーザはこれら外部に接続された第１の接続機器３０３や第２の接続機器３０４をテレビジョン受信機側からコントロールすることができる。セレクタ３０６では情報処理部３１１からの制御信号により前記チューナ３０２や前記接続処理部３０５からの映像や音声やデータといった各種信号を選択しＴＶ信号３０７としてＴＶ信号処理部３０８に出力する。このときセレクタの入力は例えばチューナが２つある場合や接続処理部３０５以外からの入力があるなど種々の形態が考えられるが信号を選択するということでは同じである。また例えば外部接続機器としてデジタルチューナのないデジタルレコーダがＩＥＥＥ１３９４により接続処理部３０５と接続されている場合、チューナ３０２から出力される所望のデジタル放送の信号がセレクタ３０６を介して（セレクタ３０６を介さなくてもよい）接続処理部３０５から外部接続機器に送られこれを記録する構成も考えられる。ＴＶ信号処理部３０８では通常のテレビジョン受信機と同様に前記セレクタ３０６から入力される映像信号や音声信号や電子番組表などのデータ信号といった前記ＴＶ信号３０７に対して同期処理や画質音質処理など所望の処理を行ない映像信号や音声信号を出力する。またデータ信号受信時にはユーザの操作に応じてデータ信号や電子番組表の処理を行ない所望の映像信号や音声信号を出力する。このとき例えばデジタル放送の場合でＭＰＥＧデコーダがＴＶ信号処理部３０８にある場合も考えられこの場合チューナ３０２からの信号とＭＰＥＧデコーダのない外部接続機器からの信号がセレクタ３０６でセレクトされＴＶ信号処理部３０８でデコードすることによりチューナ３０２からの信号と外部接続機器からの信号を１つのＭＰＥＧデコーダでデコードすることができる。さらにデコードされた信号を外部に出力することもできる。一方情報送受信部３１０では非接触型情報記録媒体３０９に記録された情報を無線により読み出し情報処理部３１１に出力する。例えば非接触型情報記録媒体３０９としてＩＣタグを考えこれに接続処理部３０５を介して外部に接続される第１の接続機器３０３を制御するデータが記録されておりこの情報に基づいて第１の接続機器３０３を制御する場合を考える。第１の接続機器３０３としてハードディスクレコーダを考えその中のハードディスクに記録されたある番組を再生するものとすると非接触型ＩＣタグ３０９には例えば外部に接続された第１の接続機器であるハードディスクレコーダ３０３の識別情報とその中の番組が記録されたハードディスクの識別情報とその番組の記録された領域を特定するアドレス情報や番組情報などが記録されている。ユーザがこの非接触型ＩＣタグ３０９を情報送受信部３１０に近づけると情報送受信部３１０はこれを感知して組み込まれた電磁誘導コイルにより情報読み出しのための電波を発信する。ユーザが持つ非接触型ＩＣタグ３０９ではこの電波をキャッチして内蔵された記録セルに記録された前記の識別情報やアドレス情報を読み出しこれを情報送受信部３１０に対して電波により送信する。このとき情報を送受信するタイミングはユーザがＩＣタグを近づけるのを感知して自動的に送受信を開始したりあるいはユーザが所望の操作を行なうことで開始されるなど種々の方法が考えられる。こうして読み出された情報は情報処理部３１１に出力される。ここでは情報送受信部３１０により読み出された情報を処理して接続処理部３０５を介して第１の接続機器であるハードディスクレコーダ３０３を制御するための制御データを生成する。まず非接触型ＩＣタグ３０９に記録された第１の接続機器であるハードディスクレコーダ３０３の識別情報から接続処理部３０５を介して制御すべき外部接続機器を特定する（この場合第１の接続機器であるハードディスクレコーダ３０３）。これにより外部接続機器が複数存在する場合でも所定の機器を特定することができる。続いてハードディスクの識別情報から第１の接続機器であるハードディスクレコーダ３０３の中にあるハードディスクの中から所定の番組が記録されたハードディスクを特定しさらにその番組の記録された領域を特定するアドレス情報を用いて記録領域を特定する。このとき非接触型ＩＣタグ３０９に記録された番組情報などの情報と前記ハードディスクに記録されている情報とを比較して一致しているかを確認することができる。そして一致していることが確認できたら情報処理部３１１ではこれを再生するのに必要な制御データを生成し接続処理部３０５を介してこれを第１の接続機器であるハードディスクレコーダ３０３に送信し再生がスタートする。この再生動作は自動あるいはユーザの所定の操作をトリガにして行なうことできる。このような所定の領域に記録された番組を特定する手段は例えば時間情報などを用いるなど種々考えられる。また番組という括りに限らず記録データの任意の範囲を指定することももちろん可能であるし開始位置を指定するだけでもよい。接続処理部３０５では第１の接続機器であるハードディスクレコーダ３０３からの再生信号を受信してこれをセレクタ３０６に送りセレクタ３０６では情報処理部３１１からの制御信号により接続処理部３０５からの信号を選択しこれをＴＶ信号処理部３０８へと出力する。このとき例えばこのＴＶ信号処理部３０８における映像や音声信号処理の制御データが非接触型ＩＣタグ３０９に記録されていれば（実施の形態１）に記載されたように第１の接続機器であるハードディスクレコーダ３０３からの再生信号に対して所望の処理を行なうこともできる。そしてＴＶ信号処理部３０８からの信号は出力処理部３１２に送られディスプレイ３１３やスピーカ３１４から出力される。このとき出力処理部３１２ではＴＶ信号処理部３０８からの信号のみならず情報処理部３１１から出力されるユーザの操作や非接触型情報記録媒体３０９に対する情報の読み出し書き込み動作や外部に接続された第１の接続機器３０３や第２の接続機器３０４やＴＶ信号処理部３０８などに対する制御状態などに応じてこれらをユーザに認識させるための映像信号や音声信号をディスプレイ３１３やスピーカ３１４に出力することも可能である。例えばＴＶ信号処理部３０８の信号を出力している状態でユーザが非接触型ＩＣタグ３０９を近づけると情報処理部３１１より情報読み取り動作に入ったことを知らせる映像信号や音声信号を出力し出力処理部３１２では前記ＴＶ信号処理部３０８からの信号をこの情報処理部３１１からの信号に切り替えるあるいは混合してディスプレイ３１３やスピーカ３１４に出力する。そして情報送受信部３１０により非接触型ＩＣタグ３０９に記録された情報の読み出しが完了すると情報処理部３１１で外部接続機器（前記の例では第１の接続機器であるハードディスクレコーダ３０３）の特定と再生アドレス領域の特定および制御データの生成が行なわれるがこの状態をユーザが認識および状態を遷移させるための操作を促すための信号が情報処理部３１１から出力処理部３１２に出力されディスプレイ３１３やスピーカ３１４によりユーザはこれを確認しながら操作することができる。また逆に前記非接触型情報記録媒体３０９に情報を書き込む場合を考える。例えば第１の接続機器３０３としてハードディスクレコーダを考えこの中のハードディスクに記録されたある番組を前述のように非接触型情報記録媒体（ＩＣタグ）３０９を用いて再生するためのデータを書き込む場合を考える。例えば番組を録画すると同時に非接触型ＩＣタグ３０９に書き込むとすると予めユーザが情報送受信部３１０に非接触型ＩＣタグ３０９をデータの送受信ができる範囲内に置いておき録画が開始されると情報処理部３１１は接続処理部３０５を介して第１の接続機器であるハードディスクレコーダ３０３からハードディスクレコーダ３０３の識別情報と番組を記録しているハードディスクの識別情報とその番組の記録された領域を特定するアドレス情報や番組情報などを受信する。そしてこれらの情報を情報送受信部３１０に出力する。情報送受信部３１０ではこの情報を電磁誘導コイルにより発信される電波にのせて非接触型ＩＣタグ３０９に送信し非接触型ＩＣタグ３０９ではこの電波をキャッチして内蔵された記録セルにこの情報を書き込んで記録する。これにより非接触型ＩＣタグに簡単に情報を記録することができ録画後に再生する際にはこれを用いて前記のような方法で簡単に再生することができる。これはもちろん番組の録画時のみならずすでに記録されたデータの中からユーザが選択して記録することも可能であるしまた番組という括りではなく任意の範囲を選択して記録することもできる。これによりこの非接触型ＩＣタグ３０９を保存しておけばこれを情報送受信部３１０にかざすだけで簡単に所望のデータが再生できユーザはディスクに記録された番組の中からディスクの内容を検索することなく簡単に番組を選択再生することが可能となる。これは今後記録媒体の大容量化が進展してディスク内に多量の情報が記録される際に大きな効果が得られる。また再生を途中で中断し時間を置いた後で再度中断ポイントから再生しようとした場合も前述の非接触型情報記録媒体３０９への記録方法と同様に再生機器と再生ディスクと再生ポイントの情報を記録することによりこの非接触型情報記録媒体３０９を情報送受信部３１０にかざすだけで中断ポイントから簡単に再生を再開することができる。このような構成は外部に接続された機器のみならずテレビジョン受信機に内蔵されたレコーダなどの機器に対しても適用することができる。またＤＶＤなどの光ディスクの場合ユーザが複数のディスクを所有することが多いがこの場合もディスクチェンジャを用いてこれにディスクの識別情報を利用するような構成をとることにより所望のディスクを自動的に選別することが可能となる。
【００２６】
（実施の形態４）
次に請求項４に記載の発明について、その詳細を説明する。
【００２７】
本発明は請求項３に記載のテレビジョン受信機において前記情報送受信部の代わりに前記非接触型情報記録媒体に対して無線により所望の情報の読み出し書き込みを行なう外付け情報送受信装置を使用し前記外付け情報送受信装置と前記情報処理部とをインターフェース部を介して接続して情報のやり取りを行なうことにより種々の非接触型情報記録媒体に記録された情報をそれに対応した外付け情報送受信装置により読み込みこの情報に基づいて映像や音声やデータなどの処理方法を変化させたり外部に接続された機器を制御したりあるいは逆に外部に接続された機器の制御データなどの各種情報や処理や制御の状態を前記外付け情報送受信装置により非接触型情報記録媒体に記録することを可能にするものである。
【００２８】
図４にその構成図を示す。
【００２９】
図中４０１は放送信号であり、図中４０２は前記放送信号４０１を受信して所望のチャンネル信号を出力するチューナであり、図中４０３は外部に接続される第１の接続機器であり、図中４０４は外部に接続される第２の接続機器であり、図中４０５は外部に接続される前記第１の接続機器４０３および前記第２の接続機器４０４との間で映像や音声やデータといった各種信号や制御データなど所望の情報のやり取りなどを行なう接続処理部であり、図中４０６は前記チューナ４０２と前記接続処理部４０５からの信号を選択するセレクタであり、図中４０７は前記セレクタ４０６により選択されるＴＶ信号であり、図中４０８は前記ＴＶ信号４０７の映像信号や音声信号や電子番組表などのデータ信号を処理するＴＶ信号処理部であり、図中４０９は非接触型情報記録媒体であり、図中４１０は前記非接触型情報記録媒体４０９に対して無線により所望の情報の読み出し書き込みを行なう外付け情報送受信装置であり、図中４１１は前記外付け情報送受信装置４１０と有線あるいは無線により接続し情報のやり取りを行なうためのインターフェース部であり、図中４１２は前記インターフェース部４１１を介して得られる前記外付け情報送受信装置４１０により読み出される前記非接触型情報記録媒体４０９に記録された情報を処理しこの情報に基づいて前記接続処理部４０５を介して外部に接続された第１の接続機器４０３および第２の接続機器４０４を制御したり前記ＴＶ信号処理部４０８における所望の処理を制御したりあるいは逆に前記接続処理部４０５を介して取り込まれる外部に接続された第１の接続機器４０３および第２の接続機器４０４の制御データなどの情報や前記ＴＶ信号処理部４０８における処理の状態や制御データなどの情報を前記非接触型情報記録媒体４０９に書き込むための情報を生成したりあるいは前記非接触型情報記録媒体４０９から読み込んだ情報や現在の処理や制御の状態をユーザに認識させたり操作を誘導する各種情報を映像信号や音声信号として出力する情報処理部であり、図中４１３は前記ＴＶ信号処理部４０８や前記情報処理部４１２と接続されユーザの操作や前記非接触型情報記録媒体４０９に対する情報の読み出し書き込み動作や制御状態などに応じて前記ＴＶ信号処理部４０８からの出力信号や前記情報処理部４１２から出力される情報など所望の映像信号や音声信号を選択して出力する出力処理部であり、図中４１４は前記出力処理部４１３に接続された実際に画面を表示するディスプレイであり、図中４１５は実際に音声を出力するスピーカである。
【００３０】
以下具体例を挙げてその動作を説明する。
【００３１】
放送信号４０１からＴＶ信号処理部４０８までは（実施の形態３）における放送信号３０１からＴＶ信号処理部３０８までと同様の動作を行なう。また出力処理部４１３、ディスプレイ４１４、スピーカ４１５は（実施の形態３）における出力処理部３１２、ディスプレイ３１３、スピーカ３１４とほぼ同等の動作を行なう。本発明では（実施の形態３）と異なり非接触型情報記録媒体４０９に対して外付け情報送受信装置４１０により情報の読み出しや書き込みを行なう。例えばユーザが非接触型情報記録媒体４０９を外付け情報送受信装置４１０に近づけると外付け情報送受信装置４１０はこれを感知して電磁誘導コイルにより情報をやり取りするための電波を発信する。非接触型情報記録媒体４０９ではこの電波をキャッチして内蔵されたＩＣチップなどの情報記録部分に記録された情報を読み出しこれを外付け情報送受信装置４１０に対して電波により送信する。このとき情報を送受信するタイミングはユーザがＩＣタグを近づけるのを感知して自動的に送受信を開始したりあるいはユーザが所望の操作を行なうことで開始されるなど種々の方法が考えられる。外付け情報送受信装置４１０では非接触型情報記録媒体４０９からの情報をインターフェース部４１１を介して情報処理部４１２に転送する。このとき外付け情報送受信装置４１０とインターフェース部４１１との接続は有線であっても無線であってもよい。また外付け情報送受信装置４１０で読み出した非接触型情報記録媒体４０９の情報を情報処理部４１２に送信するタイミングは非接触型情報記録媒体４０９から情報を読み出している間にリアルタイムで行なうあるいは外付け情報送受信装置に一時的に情報を記録するメモリを搭載して読み出した情報を記録しておき所望の情報を非接触型情報記録媒体４０９から一通り読み出してからこれらをまとめて送信することも可能である。情報処理部４１２では（実施の形態３）で説明したような方法により外付け情報送受信部４１０により読み出された情報に基づいて接続処理部４０５を介して外部に接続された第１の接続機器４０３や第２の接続機器４０４やＴＶ信号処理部４０８の制御データを生成したりあるいは非接触型情報記録媒体４０９にインターフェース部４１１を介して有線あるいは無線により外付け情報送受信装置４１０から書き込む第１の接続機器４０３や第２の接続機器４０４やＴＶ信号処理部４０８の制御データを生成したりユーザの操作や非接触型情報記録媒体４０９に対する情報の読み出し書き込み動作や外部に接続された第１の接続機器４０３や第２の接続機器４０４やＴＶ信号処理部４０８などに対する制御状態などに応じてこれらをユーザに認識させたり所定の操作を誘導する各種情報を映像信号や音声信号として出力処理部４１３に出力する。このように外付け送受信装置４１０を用いて非接触型情報記録媒体４０９に対して情報の読み出し書き込み処理を行なうことにより種々の非接触型情報記録媒体に対応した複数の情報送受信装置を使用して（実施の形態３）と同様の効果を得ることが可能となりまたこの外付け情報送受信装置４１０の設置場所を任意に変えられることによりユーザの操作性の向上が可能となる。またこの外付け情報送受信装置４１０はテレビジョン受信機のリモコンに内蔵することも考えられる。
【産業上の利用可能性】
【００３２】
本発明にかかるテレビジョン受信機は、非接触型情報記録媒体に記録された情報を読み出したり逆に情報を書き込んだりする情報送受信部と読み出した情報に基づいて制御可能な外部に接続された機器を含めた様々な制御データの生成やユーザへの状態の通知やユーザ操作のコントロールなどを行なう情報処理部と外部接続機器と情報をやり取りする接続処理部とを付加し非接触型情報記録媒体に記録された情報を読み込みこの情報に基づいて映像や音声やデータなどの処理方法を変化させたり外部に接続された機器を制御したりあるいは逆に外部に接続された機器の制御データなどの各種情報や処理や制御の状態を非接触型情報記録媒体に記録することができるテレビジョン受信機を提供することによりユーザにとって外部接続機器を含めた操作性の向上が実現できるものであり、外部接続機器を有するテレビジョン受信機において有用である。
【図面の簡単な説明】
【００３３】
【図１】本発明の実施の形態１におけるテレビジョン受信機を示す図
【図２】本発明の実施の形態２におけるテレビジョン受信機を示す図
【図３】本発明の実施の形態３におけるテレビジョン受信機を示す図
【図４】本発明の実施の形態４におけるテレビジョン受信機を示す図
【符号の説明】
【００３４】
３０１    放送信号
３０２    チューナ
３０３    第１の接続機器
３０４    第２の接続機器
３０５    接続処理部
３０６    セレクタ
３０７    ＴＶ信号
３０８    ＴＶ信号処理部
３０９    非接触型情報記録媒体
３１０    情報送受信部
３１１    情報処理部
３１２    出力処理部
３１３    ディスプレイ
３１４    スピーカ
【図１】
2007110305.tif 000003
【図２】
2007110305.tif 000004
【図３】
2007110305.tif 000005
【図４】
2007110305.tif 000006